(57)【要約】【課題】貯槽に供給される水に関する初期設定を短時間で行うことが可能な給湯機を提供する。【解決手段】給湯機Ｓは、水を加熱して浴槽２へ供給するタンクユニット５及びヒートポンプユニット８と、これらを制御するコントローラ１６と、コントローラ１６と通信可能に接続されるふろリモコン４５と、備え、ふろリモコン４５は、利用者による操作に応じて浴槽２の形状データをコントローラ１６へ送信し、コントローラ１６は、ふろリモコン４５から送信される浴槽２の形状データに基づいて、浴槽２へ供給する水の基準量を決定することを特徴とする。【選択図】図１
2013231563.tif 000002
【特許請求の範囲】
【請求項１】
水を貯槽へ供給する給水部と、
利用者による操作に応じて指定される前記貯槽の形状データを送信する操作端末と、
前記操作端末から送信される前記貯槽の形状データに基づいて、前記貯槽へ供給する前記水の基準量を決定し、前記給水部を制御することによって、決定された前記基準量の前記水を前記貯槽へ供給する制御装置と、
を備えることを特徴とする給湯機。
【請求項２】
水を貯槽へ供給する給水部と、
当該給水部を制御することによって、前記水を前記貯槽へ供給する制御装置と、
利用者による操作に応じて指定される前記貯槽の形状データに基づいて、前記貯槽へ供給する前記水の基準量を決定し、前記制御装置へ送信する操作端末と、
を備えることを特徴とする給湯機。
【請求項３】
前記給水部は、前記貯槽に供給された前記水の水位を検出する検出部を備え、
前記制御装置は、検出された前記水位に基づいて、前記貯槽へ供給する前記水の基準水位を設定する
ことを特徴とする請求項１又は請求項２に記載の給湯機。
【請求項４】
前記給水部は、前記貯槽と前記供給口を介して接続された循環回路を備え、
前記検出部は、前記供給口よりも高い位置において、前記貯槽に供給された前記水の水位を検出可能であり、
前記制御装置は、前記給水部を制御することによって、前記基準量よりも少ない量の前記水を前記貯槽へ供給し、続いて、前記循環回路に前記水を循環させる動作を行い、前記循環回路に前記水が循環した場合には、前記した少ない量を基準量に設定し直すとともに、設定し直された前記基準量が前記浴槽に供給された状態において検出された前記水位を前記基準水位として設定する
ことを特徴とする請求項３に記載の給湯機。
【請求項５】
前記給水部は、前記貯槽と前記供給口を介して接続された循環回路を備え、
前記制御装置は、前記給水部を制御することによって、前記基準量の前記水を前記貯槽へ供給し、続いて、前記循環回路に前記水を循環させる動作を行い、前記循環回路に前記水が循環した場合には、前記基準量が前記貯槽に供給された状態において検出された前記水位を前記基準水位として設定する
ことを特徴とする請求項３に記載の給湯機。
【請求項６】
前記循環回路に前記水を循環させる動作を行い、前記循環回路に前記水が循環しなかった場合には、追加量の前記水を前記貯槽へ供給して前記循環回路に前記水を循環させる動作を、前記水が循環して前記基準量を設定し直すまで繰り返す
ことを特徴とする請求項４又は請求項５に記載の給湯機。
【発明の詳細な説明】
【技術分野】
【０００１】
本発明は、給湯機に関する。
【背景技術】
【０００２】
従来、熱源機で沸き上げた湯を貯湯タンクに貯留し、貯留された湯を浴槽（貯槽）へ供給する給湯機において、浴槽の形状の違いに伴って水位及び水量が異なることから、給湯機の据付直後の試運転時に初期設定を行い、浴槽の水位及び水量を検出して記憶することが行われている（特許文献１参照）。
【先行技術文献】
【特許文献】
【０００３】
【特許文献１】特開平１１−８３１５７号公報
【発明の概要】
【発明が解決しようとする課題】
【０００４】
特許文献１に記載された技術では、浴槽に水を少しずつ入れていき、何度も水位検知を行い、好適な水位に達した際に水位及び水量を記憶するため、専門の作業員でも初期設定に時間がかかってしまう。
【０００５】
本発明は、前記した問題を解決すべく創案されたものであり、貯槽に供給される水に関する初期設定を短時間で行うことが可能な給湯機を提供することを課題とする。
【課題を解決するための手段】
【０００６】
前記課題を解決するため、本発明の給湯機は、水を貯槽へ供給する給水部と、利用者による操作に応じて指定される前記貯槽の形状データを送信する操作端末と、前記操作端末から送信される前記貯槽の形状データに基づいて、前記貯槽へ供給する前記水の基準量を決定し、前記給水部を制御することによって、決定された前記基準量の前記水を前記貯槽へ供給する制御装置と、を備えることを特徴とする。
【発明の効果】
【０００７】
本発明によれば、浴槽に供給される水に関する初期設定を短時間で行うことができる。
【図面の簡単な説明】
【０００８】
【図１】本発明の実施形態に係る給湯機の例を示す構成図である。
【図２】図１のコントローラ及びふろリモコンを示すブロック図である。
【図３】図１のふろリモコンの外観を示す図である。
【図４】（ａ）〜（ｃ）は、形状データ入力画面の例を示す図である。
【図５】本発明の実施形態に係る電気給湯機のコントローラ及びふろリモコンの動作例を説明するためのフローチャートである。
【図６】本発明の実施形態に係る電気給湯機のコントローラ及びふろリモコンの動作例を説明するためのフローチャートである。
【発明を実施するための形態】
【０００９】
以下、本発明の実施形態について、添付図面を参照して説明する。同様の部分には同一符号を付し、重複する説明を省略する。
【００１０】
＜給湯機Ｓの全体構成＞
図１に示すように、本実施形態に係る給湯機（液体加熱装置、浴槽給湯装置）Ｓは、電気給湯機であり、温水を貯湯する貯湯タンク１と、貯湯タンク１に貯湯するための水を加熱する熱源であるヒートポンプユニット８とを備え、この給湯機Ｓへは、給水源（例えば、水道管２２）からの給水が配管７を経て供給される。具体的には、給湯機Ｓは、給水源から供給された低温水をヒートポンプユニット８で加熱して温水（湯）を生成し、生成された温水を貯湯タンク１に貯留するものである。すなわち、給湯機Ｓは、貯湯タンク１内の水（温水すなわち湯を含む）を浴槽（貯槽）２へ供給する給水部、本実施形態では水を加熱して給湯する給湯部として、貯湯タンク１を備えるタンクユニット５と、ヒートポンプユニット８とを備えて構成される。
【００１１】
また、給湯機Ｓのタンクユニット５は、水道管２２からの低温水を貯湯タンク１内の温水と熱交換させて加熱し給湯用の温水を生成する給湯熱交換器４を備える。この場合、貯湯タンク１は、低温水と熱交換させる熱媒体としての温水を貯蔵する貯蔵タンクとして機能する。また、給湯機Ｓのタンクユニット５は、浴槽２内から導出したふろ水を貯湯タンク１内の温水と熱交換させ加熱する追い焚き熱交換器２４を備える。さらに、給湯機Ｓは、湯張り、追い焚き、給湯等を行うために利用者が操作するふろリモコン４５、台所リモコン４６等を有する操作端末６０と、この操作端末６０からの操作指令等に従って給湯機Ｓ全体を統括的に制御するコントローラ１６とを備える。
【００１２】
また、給湯機Ｓは、給湯端末に加熱された清水を供給する給湯回路（後記する一般給湯回路２Ｘ及び湯張り回路２Ｙ）と、浴槽２から取り出した浴槽水を貯湯タンク１に貯蔵される温水（この場合には、熱媒体として機能する）と追い焚き熱交換器２４によって熱交換させて浴槽２に戻す追い焚き回路２Ｚとを備える。
【００１３】
給湯回路には、温水を一般給湯端末（蛇口、シャワー等、本実施形態では、混合栓１９）に供給する一般給湯回路２Ｘと、温水を浴槽２に設けられる浴槽端末に供給する湯張り回路２Ｙとが含まれる。また、前記給湯回路に供給される清水の供給源としては、水道管２２や井戸水等の外部の給水源の他、清水を貯留する貯湯タンク１が考えられる。
【００１４】
ここで、清水とは、利用者が直接接触し得る状態を未だ経ていない使用前の水を指すものであり、給水源からの水や貯湯タンク１に貯留されている水を含むものである一方、浴槽２等に供給されたような汚れを含む使用後の水（特に、一度浴槽２に供給されたふろ水）とは区別されるものである。
【００１５】
前記一般給湯回路２Ｘは、前記貯湯タンク１内の水の圧力（例えば、約２ｋｇ／ｃｍ２（約０．２０ＭＰａ））よりも高い圧力（例えば、約６〜８ｋｇ／ｃｍ２（約０．５９〜０．７８ＭＰａ））の清水を流通可能に構成されるものである。具体的には、前記一般給湯回路２Ｘは、減圧されていない水道水を前記清水として流通させるものである。ただし、一般給湯回路２Ｘは、これに限定されるものではなく、貯湯タンク１内の熱媒体（すなわち、水）を貯湯タンク１の内圧を用いて供給するものであってもよいし、ポンプ等を用いて昇圧して供給するものであってもよい。また、前記一般給湯回路２Ｘは、前記追い焚き回路２Ｚよりも速い流速で清水を流通可能に構成される。例えば、前記一般給湯回路２Ｘには、例えば約２ｍ／ｓで清水が流される一方、前記追い焚き回路２Ｚには、追い焚き時に約１．０〜１．５ｍ／ｓで浴槽水が流される。
【００１６】
具体的には、一般給湯回路２Ｘは、給水源から供給される清水を貯湯タンク１に貯蔵されている温水（この場合には、熱媒体として機能する）と給湯熱交換器４によって熱交換させて（すなわち、加熱して）一般給湯端末である混合栓１９に供給するものである。また、湯張り回路２Ｙは、貯湯タンク１の温水を浴槽２の浴槽端末に供給するものである。
【００１７】
以下、給湯機Ｓの各部の構成について詳細に説明する。
【００１８】
＜ヒートポンプユニット８＞
図１に示すヒートポンプユニット８は、外界の熱を、膨張させた低温の二酸化炭素等の冷媒で吸熱した後、圧縮させ高温とした冷媒と配管３４を流れる貯湯タンク１からの低温水とで熱交換を行い、低温水を加熱する装置である。ヒートポンプユニット８は、冷媒の膨張、圧縮を繰り返し、外界から吸熱し低温水を加熱するヒートポンプ（図示せず）と、配管３４を流れる貯湯タンク１の低温水を循環させる循環ポンプ（図示せず）とを備えている。
【００１９】
ヒートポンプは、冷媒を圧縮する圧縮機と、圧縮され高温になった冷媒と貯湯タンク１からの低温水との間で熱交換させ低温水を加熱するガスクーラ（図示せず）と、冷媒を膨張させ減圧する膨張弁と、減圧され温度低下した冷媒に外気の熱を吸熱する吸熱器とを有している。循環ポンプは、配管３２，３４を順次介して貯湯タンク１の下部から低温水を汲み上げ、ヒートポンプのガスクーラを通過させ加熱した後、加熱され高温になった温水を、配管３５を介して貯湯タンク１の上部に戻している。
【００２０】
＜貯湯タンク１＞
図１に示す貯湯タンク１には、水道管２２からの水道水が、配管７、配管３６ａ、配管２３ａ、減圧弁６及び配管２３ｂを順次介して導入されるとともに、この貯湯タンク１内の水が、配管３２、三方弁３３及び配管３４を順次介してヒートポンプユニット８に導かれヒートポンプのガスクーラで加熱され温水となった後、配管３５を介して貯湯タンク１の上部に導かれ貯湯タンク１内に貯留されている。
【００２１】
貯湯タンク１内の温水の温度は、鉛直方向下方から上方にいくに従い高く、すなわち、貯湯タンク１内の下部から上部にいくに従って、相対的に低、中、高の温度分布となっている。例えば、貯湯タンク１内の上部で約９０℃となっている。なお、貯湯タンク１内の鉛直方向の中間部における温水を、中温水と称する。
【００２２】
貯湯タンク１には、鉛直方向に沿って、貯留される温水の温度を検出する複数の温度センサ４７，４８，４９，５０，５１，５２が上部から下部に配置されており、これらの温度センサ４７，４８，４９，５０，５１，５２により検出された貯湯タンク１内の温水の温度を示す検出信号は、コントローラ１６に出力され、給湯機Ｓの制御に使用されている。
【００２３】
＜湯張り回路２Ｙ＞
湯張り回路２Ｙは、貯湯タンク１に貯留される温水を浴槽２に供給し、浴槽２に湯張りするための回路である。この湯張り回路２Ｙは、貯湯タンク１上部の高温の温水を、貯湯タンク１上部の第一取出部１０に接続される配管４１ａ及び配管５４を順次介して第一混合弁１４に導き、第一混合弁１４において、水道管２２から、配管７、配管３６ａ、配管２３ａ、減圧弁６及び配管２３ｃを順次通ってきた水道水と混合され、第一混合弁１４の下流に配設されコントローラ１６によって開制御された電磁弁２８を介して、配管２９ｃ，２９ｂ，２９ａを順次通る第一経路と、配管２９ｃ、接続部３０、配管２５、ポンプ２７、流量調整弁（又は循環調整弁）３１及びバイパス配管６３を順次通って、合流部６５で配管３ａに接続されて配管３ｂを通る第二経路との２つの経路で浴槽２に湯張りする構成である。なお、接続部３０は、湯張り回路２Ｙと追い焚き回路２Ｚとが接続される部分である。
【００２４】
ここで、配管２９ａは、浴槽２に設けられる水流通口２ｉに接続され、また、配管３ｂは、浴槽２の水流通口２ｏに接続されており、これらの水流通口２ｉ，２ｏを介して、湯張りが行われる。すなわち、この場合には、水流通口２ｉ，２ｏは、浴槽端末として機能する。
【００２５】
＜給湯熱交換器４＞
給湯熱交換器４は、水道管２２及び配管７を順次介して供給される水道水を、コントローラ１６に給湯要求があった場合に作動制御される給湯循環ポンプ１８により貯湯タンク１上部から導出される高温の温水と熱交換させて所定温度に加熱する機器である。加熱された水は、混合栓１９に供給されて給湯される。
【００２６】
なお、混合栓１９は、例えば、浴室において、洗い湯を供給するために用いられる。給湯時には、水道管２２から、配管７、配管３６ａ及び配管３６ｂを順次介して給湯熱交換器４に導入された水道水は、給湯循環ポンプ１８（配管４２に設けられている）によって貯湯タンク１上部の第一取出部１０から配管４１ａ及び配管４１ｂを順次介して給湯熱交換器４に導入される貯湯タンク１上部の高温の温水により加熱された後、配管３６ｃ、アキュムレータ３９及び配管４０を順次介して、混合栓１９に温水として供給される。
【００２７】
一方、給湯熱交換器４において、水道水と熱交換を行い冷却され給湯熱交換器４から出た水は、配管４２を通って貯湯タンク１に戻される。なお、給湯熱交換器４から出た水は、貯湯タンク１の下部に戻されるものであるが、貯湯タンク１の底よりも上方に戻されるものであってもよい。
【００２８】
＜給湯循環ポンプ１８＞
図１に示す給湯循環ポンプ１８は、コントローラ１６の図示しないインバータ回路を用いて、配管３６ｃの給湯温度センサ３７によって検出される給湯の温度が、操作端末６０で設定された給湯温度となるように、回転速度が自在に制御（フィードバック制御）されている。
【００２９】
すなわち、給湯温度センサ３７が検出する給湯の温度が、操作端末６０で設定された給湯温度よりも低い場合、コントローラ１６は、貯湯タンク１の高温の温水を循環させる給湯循環ポンプ１８の回転速度を高めて水道水に付与する熱量を増加させ給湯温度を高める。一方、操作端末６０で設定された給湯温度よりも給湯の温度が高い場合には、コントローラ１６は給湯循環ポンプ１８の回転速度を低めて水道水に付与する熱量を減少させ給湯温度を低めるように、給湯循環ポンプ１８が制御されている。
【００３０】
＜追い焚き熱交換器２４＞
図１に示す追い焚き熱交換器２４は、入口２４ｉ側に、浴槽２内のふろ水が導出される配管２９ａ、配管２９ｂ、配管２５、ポンプ２７、流量調整弁３１及び配管５８が順次接続されるとともに、出口２４ｏ側には、追い焚き熱交換器２４において貯湯タンク１上部の高温水と熱交換され加熱され追い焚きされたふろ水が浴槽２に戻る配管２６、配管３ａ及び配管３ｂが順次接続されている。
【００３１】
＜追い焚き回路２Ｚ＞
追い焚き回路２Ｚは、浴槽２に張られたふろ水を追い焚きするための回路である。追い焚き時、浴槽２内のふろ水は、浴槽２の水流通口２ｉから導出され、この水流通口２ｉに接続される配管２９ａ、配管２９ｂ、接続部３０、配管２５、ポンプ２７、流量調整弁３１、配管５８、貯湯タンク１上部の高温の温水中に配置される追い焚き熱交換器２４、配管２６、配管３ａ及び配管３ｂを順次通り、配管３ｂに接続される水流通口２ｏを介して、浴槽２に戻されるように構成されている。
【００３２】
なお、浴槽２内の低温のふろ水は、追い焚き熱交換器２４において、貯湯タンク１の上部の高温の温水と間接的に熱交換され、効率的に短時間で追い焚きがなされるように構成されている。
【００３３】
ここで、追い焚きの温度は、利用者がふろリモコン４５、台所リモコン４６等の操作端末６０を操作することによって設定される。温度センサ５６は、配管２９ｂを通る追い焚き前の温水の温度を検出し、温度センサ５９は、追い焚き後の配管２６を通る温水の温度を検出し、それぞれの検出信号は、コントローラ１６に入力される。そして、コントローラ１６において、浴槽２内の温水の温度が、利用者の設定温度に至ったと温度センサ５６で検出されるまで、浴槽２内のふろ水を追い焚き熱交換器２４に循環させるポンプ２７を稼働制御し、追い焚きモードを継続する。そして、浴槽２内の温水の温度が、利用者の設定温度になった時点でポンプ２７の稼動を停止し、追い焚きモードを終了する。
【００３４】
＜操作端末６０＞
図１に示す操作端末６０は、利用者が、給湯機Ｓで湯張り、追い焚き、給湯等を行うために入力操作を行う機器であり、浴室に配置されるふろリモコン４５、キッチンに配置される台所リモコン４６等を有する。
【００３５】
操作端末６０は、浴槽２に湯張りするための湯張りモード、浴槽２内のふろ水を追い焚きするための追い焚きモード、混合栓１９からの給湯を行うための給湯モード等が選択でき、湯張り時の温水の温度、追い焚き時の温水の温度、給湯時の温水の温度等を設定できる構成である。この操作端末６０は、コントローラ１６と有線又は無線で接続されており、利用者による操作端末６０への入力操作が、コントローラ１６に操作信号として入力されている。
【００３６】
＜コントローラ１６＞
コントローラ１６は、給湯機Ｓを電子制御する制御装置であり、操作端末６０、温度センサ４８等の種々のセンサで検出した信号等に応じて制御を行うマイコン(Microcomputer：マイクロコンピュータ)と、操作端末６０、種々のセンサ等で検出された検出信号等をマイコンに適合した入力信号に変換する増幅回路、Ａ／Ｄ変換回路等の入力インターフェースと、マイコンからの制御信号の出力信号に応じて給湯循環ポンプ１８等のアクチュエータを駆動するための駆動回路、リレー駆動回路等の出力インターフェースとを備えて構成されている。
【００３７】
このコントローラ１６は、マイコンのＲＯＭ(Read Only Memory)に記憶されたプログラムに従って、給湯機Ｓの電磁弁２８、ポンプ２７、給湯循環ポンプ１８等の各種アクチュエータ及びヒートポンプユニット８等を制御し、湯張り、追い焚き、給湯等の各種のモードの制御を行うものである。
【００３８】
＜給湯機Ｓの配管システムの動作詳細＞
次に、給湯機Ｓの配管システムの動作詳細について説明する。
【００３９】
＜貯湯タンク１への温水の貯留＞
貯湯タンク１への水道水の供給は、水道管２２内の水道水の例えば、約６〜８ｋｇ／ｃｍ２（約０．５９〜０．７８ＭＰａ）の水圧によって水道管２２内の水道水が配管７及び配管２３ａを順次通って減圧弁６に導かれ、減圧弁６において所定圧、例えば、約２ｋｇ／ｃｍ２（約０．２０ＭＰａ）に減圧された後、配管２３ｂ及び逆止弁２０を順次通って、貯湯タンク１の下部に導入することにより行われる。なお、逆止弁２０は、貯湯タンク１からの水道水の逆流防止の役割を果たしている。
【００４０】
この貯湯タンク１に導入された水道水を、配管３２、三方弁３３及び配管３４を順次介してヒートポンプユニット８に導入して、ヒートポンプユニット８のガスクーラ(図示省略)で加熱し温水として、該温水を配管３５を介して貯湯タンク１の上部に導入し、貯湯タンク１内に貯留する。
【００４１】
＜混合栓１９からの給湯モード＞
次に、給湯機Ｓにおける混合栓１９からの給湯について説明する。図１の破線で示すように、給湯機Ｓは、貯湯タンク１の高温の温水が給湯熱交換器４を循環する循環回路を備えており、混合栓１９からの給湯は、給湯熱交換器４を用いて、水道管２２からの水道水と貯湯タンク１からの高温の温水との熱交換により、水道水を加熱して行われる。
【００４２】
利用者が、例えば、ふろリモコン４５を操作し給湯モードを選択すると、給湯モード選択信号がコントローラ１６に入力され、コントローラ１６からの信号により給湯循環ポンプ１８が稼動し、貯湯タンク１上部の高温水を、図１の破線で示すように、第一取出部１０から配管４１ａ及び配管４１ｂを順次介して給湯熱交換器４まで導出し、給湯熱交換器４で低温の水道水と熱交換を行い温度が下がった温水を、配管４２を介して、貯湯タンク１の下部に返還する。なお、給湯熱交換器４の出口から貯湯タンク１の下部までの経路途中の逆止弁４４は、貯湯タンク１の温水の自然循環防止の役割、及び、給湯循環ポンプ１８を交換する際の貯湯タンク１の温水の逆流防止の役割を果たしている。
【００４３】
この給湯熱交換器４を用いて給湯を行うに際しては、水道管２２からの水道水をその水圧によって配管７、配管３６ａ及び配管３６ｂを順次介して給湯熱交換器４に導入し、該給湯熱交換器４により加熱され温水となった水道水を、配管３６ｃ、給湯温度センサ３７、給湯流量センサ３８、アキュムレータ３９及び配管４０を順次介して、混合栓１９の一方側に供給する。そして、混合栓１９において、利用者が、混合栓１９の他方側に接続した水道管２２からの水道水と供給された温水とを混合し、給湯の温度を調節する。
【００４４】
なお、アキュムレータ３９は、給湯流量が少ない場合、例えば、給湯流量が約２〜３リットル／分での混合栓１９の蛇口から熱湯が吹き出るオーバシュート現象の防止のため、熱湯をアキュムレータ３９内の残留水と混合し冷却して適温にすべく配設されている。
【００４５】
混合栓１９に、給湯熱交換器４から供給される温水の温度は、タンクユニット５内のコントローラ１６を用いて、貯湯タンク１の頂部の温度センサ４７で検出した温水の温度、水道管２２から配管７を通って給湯熱交換器４に向かう水道水の水温温度センサ５３で検出した温度、給湯流量センサ３８で検出した流量等をもとに、台所リモコン４６、ふろリモコン４５等の操作端末６０で設定された所定の給湯温度になるように、給湯循環ポンプ１８の回転速度を制御し、給湯熱交換器４において、水道水に熱を付与する１次側を流れる貯湯タンク１からの温水の流量を制御している。
【００４６】
この構成によれば、水道管２２からの水道水の高い水圧を利用できるため、例えば、３階でのシャワーも可能であり、減圧弁や負圧破壊弁も不要とすることができる。また、減圧弁６を介して減圧した水道水を貯湯タンク１に導入する密閉式の給湯システムとすることで、シスターンタンク、オーバーフロースイッチ、レベルスイッチ等の部品が不要となり、システムが簡易になるとともに衛生的な不安も解消され、給水時の騒音も解消される。
【００４７】
＜コントローラ１６及びふろリモコン４５＞
続いて、本実施形態に係るコントローラ１６及びふろリモコン４５の詳細について、図２〜図４を参照して説明する。
【００４８】
＜コントローラ１６＞
図２に示すように、コントローラ１６は、機能部として、給湯機Ｓの給湯部（タンクユニット５及びヒートポンプユニット８）を制御する制御部（ＣＰＵ）１６ａと、記憶部（ここでは、ＲＯＭ、ＲＡＭ及びＥＥＰＲＯＭからなる）１６ｂと、ふろリモコン４５及び台所リモコン４６との間でデータの転送を行う通信部１６ｃと、を備える。記憶部１６ｂのうち、ＥＥＰＲＯＭには、給湯部に関するデータが記憶される。これら制御部１６ａ、記憶部１６ｂ及び通信部１６ｃは、基板１６ｓ上に搭載されている。かかる基板１６ｓは、エラーが発生した場合に交換可能である。
【００４９】
制御部１６ａは、リモコン４５，４６から送信されたデータ及び記憶部１６ｂに記憶されたデータに基づいて給湯機Ｓの給湯部（タンクユニット５及びヒートポンプユニット８）を制御する給湯部制御部（給水部制御部）１６ａ１を備える。
【００５０】
給湯部制御部１６ａ１は、タンクユニット５及びヒートポンプユニット（加熱部）８を制御することによって、水を加熱して湯を生成して貯湯タンク１に貯湯させたり、一般給湯回路２Ｘを用いて給湯したり、湯張り回路２Ｙを用いて浴槽２に給湯（湯張り）したり、追い焚き回路２Ｚを用いて浴槽２に張られたふろ水を加熱（追い焚き）したりする。また、給湯部制御部１６ａ１は、循環回路２Ｗを用いて浴槽２内に所定水位以上のふろ水が残っているか否かを判定する、いわゆる残水チェックを行う。
【００５１】
＜循環回路２Ｗ及び残水チェック＞
ここで、図１及び図２を参照して、循環回路２Ｗ及び循環回路２Ｗを用いた残水チェックについて説明する。図１に示すように、循環回路２Ｗは、浴槽２の水流通口２ｉ→配管２９ａ→配管２９ｂ→配管２５→流量調整弁３１→バイパス配管６３→配管３ａ→浴槽２の水流通口２ｏ→浴槽２の水流通口２ｉ→…の順に浴槽２内のふろ水が循環する閉回路である。配管２９ｂには、浴槽２に張られたふろ水の水位が水流通口２ｉよりも高い場合に水位を検出して制御部１６ａへ出力する水位センサ５７が設けられており、配管２５には、ふろ水等が流れているとＯＮ信号を制御部１６ａへ出力するフロースイッチ５５が設けられている。これら水位センサ５７及びフロースイッチ５５の検出結果は、コントローラ１６へ出力される。
【００５２】
残水チェック時には、給湯部制御部１６ａ１は、配管２９とバイパス配管６３との間が水流通可能となるように流量調整弁３１を制御するとともに、配管２９に設けられたポンプ２７を駆動する。給湯部制御部１６ａ１は、フロースイッチ５５が所定時間（例えば２０秒）連続でＯＦＦの場合には、残水無しと判定し、フロースイッチ５５が所定時間（例えば１分）連続でＯＮの場合には、残水有りと判定する。ここで、残水無しとは、浴槽２に張られたふろ水の水位が水流通口２ｉよりも低く、残水チェックにおいてふろ水が循環回路２Ｗを循環しない状況を指し、残水有りとは、浴槽２に張られたふろ水の水位が水流通口２ｉよりも高く、残水チェックにおいてふろ水が循環回路２Ｗを循環する状況を指す。
【００５３】
＜ふろリモコン４５＞
ふろリモコン４５は、機能部として、制御部（ＣＰＵ）４５ａと、記憶部（ここでは、ＲＯＭ、ＲＡＭ及びフラッシュメモリからなる）４５ｂと、コントローラ１６及び台所リモコン４６との間でデータの転送を行う通信部４５ｃと、各種ボタンからなる操作部４５ｄ（図３参照）と、ディスプレイからなる表示部４５ｅ（図３参照）と、スピーカ４５ｆと、を備える。
【００５４】
制御部４５ａは、データ処理部４５ａ１を備える。
【００５５】
データ処理部４５ａ１は、利用者による操作部４５ｄの操作に基づいて、給湯温度、ふろ温度、水位等のデータを通信部４５ｃを介してコントローラ１６及び台所リモコン４６へ送信したり、給湯温度、ふろ温度、水位等を表示部４５ｅに表示させたりする。
【００５６】
また、データ処理部４５ａ１は、図４に示す形状データ入力画面を表示部４５ｅに表示させ、表示部４５ｅを見た利用者による操作部４５ｄの操作に基づいて、操作部４５ｄの操作に応じて指定される浴槽２の形状を示す形状データをコントローラ１６へ送信する。
【００５７】
＜形状データの入力及び基準水量の決定＞
例えば、データ処理部４５ａ１は、図４（ａ）に示す形状データ入力画面を表示部４５ｅに表示させる。表示部４５ｅを見た利用者は、操作部４５ｄの上ボタン４５ｄ１、下ボタン４５ｄ２、左ボタン４５ｄ３、右ボタン４５ｄ４及び決定ボタン４５ｄ５を操作することによって、浴槽２の縦、横及び高さの寸法を入力する。データ処理部４５ａ１は、入力された縦、横及び高さの寸法を形状データとしてコントローラ１６へ送信する。コントローラ１６の給湯部制御部１６ａ１は、形状データを取得すると、かかる形状データに基づいて浴槽２の容積を算出し、算出された容積の所定割合を基準水量に決定する。かかる基準水量は、浴槽２内のふろ水の水位が水流通口２ｉよりも高く、通常の湯張り運転における中間チェックに用いられる水位となる水量である。中間チェックにおいて、コントローラ１６は、後記する１回目の湯張り運転と同様の残水チェックを行い、残水有りと判定された場合に水位チェックを行う。水位チェックでは、コントローラ１６は、現在の水位と基準水位とを比較し、その差分から、中間チェック後の注湯量を算出する。
【００５８】
また、データ処理部４５ａ１は、図４（ｂ）に示す形状データ入力画面を表示部４５ｅに表示させる構成であってもよい。表示部４５ｅを見た利用者は、操作部４５ｄの上ボタン４５ｄ１、下ボタン４５ｄ２、左ボタン４５ｄ３、右ボタン４５ｄ４及び決定ボタン４５ｄ５を操作することによって、浴槽２の形式（浴槽形式）を入力する。データ処理部４５ａ１は、入力された浴槽形式を形状データとしてコントローラ１６へ送信する。コントローラ１６の給湯部制御部１６ａ１は、形状データを取得すると、記憶部１６ｂに予め記憶された浴槽形式と基準水量との関係を参照することによって、基準水量を決定する。
【００５９】
また、データ処理部４５ａ１は、図４（ｃ）に示す形状データ入力画面を表示部４５ｅに表示させる構成であってもよい。表示部４５ｅを見た利用者は、操作部４５ｄの左ボタン４５ｄ３、右ボタン４５ｄ４及び決定ボタン４５ｄ５を操作することによって、浴槽２の大きさ（大、中、小の三択）を入力する。作業員であれば、浴槽２を見れば、その大きさが大中小のいずれかであるかを判断することができる。データ処理部４５ａ１は、入力された浴槽２の大きさを形状データとしてコントローラ１６へ送信する。コントローラ１６の給湯部制御部１６ａ１は、形状データを取得すると、記憶部１６ｂに予め記憶された浴槽２の大きさと基準水量との関係を参照することによって、基準水量を決定する。
【００６０】
＜動作例＞
続いて、コントローラ１６及びふろリモコン４５の動作例について、給湯機Ｓの据付後１回目の湯張り運転において基準水量及び基準水位を決定する場合を例にとり、図５及び図６を参照して説明する（適宜図１〜図４参照）。なお、湯張り運転では、空の浴槽２に対してふろ水（湯）を供給して浴槽２内に貯める、いわゆる湯張りが行われる。
【００６１】
＜基準水量決定＞
図５に示すように、まず、データ処理部４５ａ１は、形状データ入力画面を表示部４５ｅに表示させる（ステップＳ１１）。利用者がふろリモコン４５の操作部４５ｄを操作することによって、データ処理部４５ａ１が形状データを取得すると（ステップＳ１２でＹｅｓ）、データ処理部４５ａ１は、形状データを通信部４５ｃを介してコントローラ１６へ送信する（ステップＳ１４）。
【００６２】
続いて、コントローラ１６の給湯部制御部１６ａ１が通信部１６ｃを介して形状データを取得すると（ステップＳ２１でＹｅｓ）、給湯部制御部１６ａ１は、かかる形状データに基づいて水量データの一種である基準水量を決定し（ステップＳ２２）、記憶部１６ｂに記憶させる（ステップＳ２３）。
【００６３】
＜湯張り運転における基準水量補正及び基準水位決定＞
続いて、図６に示すように、給湯部制御部１６ａ１は、湯張り回路２Ｙを用いて、記憶部１６ｂに記憶された基準水量よりも少ない給湯量（例えば、基準水量の８０％、基準水量−２０Ｌ等）を、空の浴槽２へ注湯（注水）する（ステップＳ３１）。湯張り運転において、給湯部制御部１６ａ１は、電磁弁２８の開弁時間を制御することによって、所望の水量のふろ水を浴槽２へ注湯することができる。続いて、給湯部制御部１６ａ１は、循環回路２Ｗを用いて、浴槽２の残水チェックを行う（ステップＳ３２）。
【００６４】
残水無しと判定された場合には（ステップＳ３２でＮｏ）、給湯部制御部１６ａ１は、湯張り回路２Ｙを用いて、基準水量まで注湯し（ステップＳ３３）、循環回路２Ｗを用いて、再度残水チェックを行う（ステップＳ３４）。
【００６５】
残水無しと判定された場合には（ステップＳ３４でＮｏ）、給湯部制御部１６ａ１は、湯張り回路２Ｙを用いて、所定の水量（例えば、基準水量の２０％、２０Ｌ等）を注湯し（ステップＳ３５）、水量データを補正する（ステップＳ３６）。より詳細には、ステップＳ３６では、基準水量に所定の水量を加えた値が、新たな基準水量として記憶部１６ｂに記憶される。ステップＳ３６の実行後、本フローはステップＳ３４に戻る。なお、ステップＳ３５における追加の注湯量は、２回目以降は少なくする構成であってもよい。例えば、１回目の注湯量が基準水量の２０％である場合には、２回目以降の注湯量（１回あたり）を最初の基準水量の１０％とすることができる。また、１回目の注湯量（１回あたり）が２０Ｌである場合には、２回目以降の注湯量を１０Ｌとすることができる。
【００６６】
一方、ステップＳ３２で残水有りと判定された場合には（ステップＳ３２でＹｅｓ）、給湯部制御部１６ａ１は、水量データを補正する（ステップＳ３７）。より詳細には、ステップＳ３７では、注湯された基準水量よりも少ない給湯量が、新たな基準水量として記憶部１６ｂに記憶される。
【００６７】
ステップＳ３４でＹｅｓの場合と、ステップＳ３７の実行後とにおいて、給湯部制御部１６ａ１は、水位センサ５７によって検出された浴槽２に張られたふろ水の水位を取得し、取得された水位を基準水位に決定し（ステップＳ３８）、記憶部１６ｂに記憶させる（ステップＳ３９）。続いて、給湯部制御部１６ａ１は、湯張り回路２Ｙを用いて、予め設定された湯張り終了の水位まで注湯し（ステップＳ４０）、給湯機Ｓの据付後１回目の湯張り運転を終了する。ステップＳ４０における湯張り終了の水位は、例えば、ステップＳ２２において基準水量とともに決定されてステップＳ２３において記憶部１６ｂに記憶されている。湯張り終了の水位としては、例えば、設定される湯張り終了の水位の１レベル分を＋２０Ｌとして複数レベルの水位が設定可能である。
【００６８】
本発明の実施形態に係る給湯機Ｓは、浴槽２の形状データに基づいて基準水量を決定するので、浴槽２に注湯されるふろ水の基準水位を決定する際の検出回数を減らし、初期設定、すなわち、基準水量の補正及び基準水位の決定を短時間で行うことができる。
また、給湯機Ｓは、基準水位を決定する際に、基準水量よりも少ない量から始めるので、決定された基準水量が実際には多すぎる場合であっても好適に基準水量を補正するとともに基準水位を決定することができる。
【００６９】
以上、本発明の実施形態について説明したが、本発明は前記実施形態に限定されず、本発明の要旨を逸脱しない範囲で適宜変更可能である。例えば、最初の基準水量を予め少なめに決定しておくことで、ステップＳ３１において、給湯部制御部１６ａ１が、かかる基準水量を注湯する構成であってもよい。また、データ処理部４５ａ１が、入力内容に基づいて浴槽２の容積を算出してリモコン１６へ送信する構成であってもよく、変形例として、データ処理部４５ａ１が、基準水量を決定してリモコン１６へ送信する構成であってもよい。
【符号の説明】
【００７０】
２      浴槽（貯槽）
２Ｗ    循環回路
５      タンクユニット（給水部、給湯部）
８      ヒートポンプユニット（給水部、給湯部）
１６    コントローラ（制御装置）
４５    ふろリモコン（操作端末）
５７    水位センサ（検出部）
Ｓ      給湯機
【図１】
2013231563.tif 000003
【図２】
2013231563.tif 000004
【図３】
2013231563.tif 000005
【図４】
2013231563.tif 000006
【図５】
2013231563.tif 000007
【図６】
2013231563.tif 000008